(57)【要約】【課題】コンテンツを格納する装置に対するアクセスの時間的な集中を抑制すること。【解決手段】通信装置１０は、収音した音声から音響ＩＤの抽出を実行し、抽出した音響ＩＤをアドレス情報通知装置７０に送信する（ステップＳ１０３）。アドレス情報通知装置７０は、受け取った音響ＩＤに対応するアドレス情報を読み出して通信装置１０に送信する（ステップＳ１０５）。通信装置１０は、受信したアドレス情報が表すＵＲＩにアクセスして一時ページデータを取得し、取得した一時ページデータを出力する（ステップＳ１０８）。通信装置１０は、一時ページデータを出力した後に、配信コンテンツデータを取得する取得操作を受け付けると、コンテンツ配信装置５０にアクセスして配信コンテンツデータを取得する（ステップＳ１１１）。【選択図】図５
2015088055.tif 000002
【特許請求の範囲】
【請求項１】
第１コンテンツデータを識別する識別情報を取得する識別情報取得手段と、
前記識別情報取得手段により取得された識別情報に基づいて、第２コンテンツデータを取得するための情報が含まれる前記第１コンテンツデータを取得し、取得した第１コンテンツデータを出力する第１コンテンツ出力手段と、
前記第１コンテンツ出力手段が出力した第１コンテンツデータに含まれる前記情報を用いて第２コンテンツデータを取得する操作を受け付ける受付手段と、
前記受付手段が受け付けた操作に応じて、通信ネットワークを経由して前記第２コンテンツデータを取得する第２コンテンツ取得手段と、
前記第２コンテンツ取得手段により取得された前記第２コンテンツデータを出力する第２コンテンツ出力手段と
を備える通信装置。
【請求項２】
前記第１コンテンツ出力手段は、前記第１コンテンツ取得手段により前記第１コンテンツデータが取得されてから、自装置または自装置のユーザに固有の情報に応じて決められた期間が経過した場合に、前記第１コンテンツデータを出力する
請求項１に記載の通信装置。
【請求項３】
前記第２コンテンツ取得手段は、前記第１コンテンツ出力手段により前記第１コンテンツデータが出力されてから、自装置または自装置のユーザに固有の情報に応じて決められた期間が経過した場合に、前記第２コンテンツデータを取得する
請求項１または２に記載の通信装置。
【請求項４】
前記識別情報は、音声信号に重畳された音響ＩＤ（IDentification）であり、
前記識別情報取得手段は、前記音声信号から前記音響ＩＤを抽出し、抽出した音響ＩＤを前記識別情報として取得する
請求項１〜３のいずれか１項に記載の通信装置。
【請求項５】
前記第１コンテンツ出力手段は、前記識別情報取得手段により取得された識別情報を用いて前記通信ネットワークを経由して前記第１コンテンツデータを取得して出力する
請求項１〜４のいずれか１項に記載の通信装置。
【請求項６】
前記第１コンテンツ出力手段は、前記識別情報取得手段により取得された識別情報を用いて自装置に記憶されている前記第１コンテンツデータを取得して出力する
請求項１〜５のいずれか１項に記載の通信装置。
【請求項７】
請求項１〜６のいずれか１項に記載の通信装置と、
前記通信装置から第１コンテンツデータを識別する識別情報が送信されてくると、当該識別情報により識別される第１コンテンツデータが格納されている記憶領域のアドレス情報を前記通信装置に通知するアドレス情報通知装置と、
前記第１コンテンツデータを記憶領域に格納し、前記通信装置からのアクセスに応じて当該通信装置に当該第１コンテンツデータを送信する第１コンテンツデータ送信装置と、
前記第２コンテンツデータを記憶領域に格納し、前記通信装置からのアクセスに応じて当該通信装置に当該第２コンテンツデータを送信する第２コンテンツデータ送信装置と
を備える情報提供システム。
【請求項８】
コンピュータを、
第１コンテンツデータを識別する識別情報を取得する識別情報取得手段と、
前記識別情報取得手段により取得された識別情報に基づいて、第２コンテンツデータを取得するための情報が含まれる前記第１コンテンツデータを取得し、取得した第１コンテンツデータを出力する第１コンテンツ出力手段と、
前記第１コンテンツ出力手段が出力した第１コンテンツデータに含まれる前記情報を用いて第２コンテンツデータを取得する操作を受け付ける受付手段と、
前記受付手段が受け付けた操作に応じて、通信ネットワークを経由して前記第２コンテンツデータを取得する第２コンテンツ取得手段と、
前記第２コンテンツ取得手段により取得された前記第２コンテンツデータを出力する第２コンテンツ出力手段
として機能させるためのプログラム。
【発明の詳細な説明】
【技術分野】
【０００１】
本発明は、アクセスの時間的な集中を抑制する技術に関する。
【背景技術】
【０００２】
情報を音声信号に重畳して音を放音し、通信装置がその音を収音して得た音声信号から情報を抽出するという技術が知られている（特許文献１参照）。この技術を用いると、例えば、コンテンツの格納先を特定するための情報をテレビ放送などの音声信号に重畳させておき、通信装置がその音声信号から抽出した情報から格納先を特定してアクセスすることでコンテンツを取得する、といったことができる。
【先行技術文献】
【特許文献】
【０００３】
【特許文献１】特開２０１２−１５５７０６号公報
【発明の概要】
【発明が解決しようとする課題】
【０００４】
しかし、上記の方法において、多くの通信装置が音声信号から格納先を特定した時点で、この多くの通信装置が一斉にその格納先にアクセスした場合、通信ネットワーク上のトラヒックが増大するほか、そのアクセスを処理する装置の負荷が大きくなってしまう。その結果、通信装置にコンテンツが提供されるまでに要する時間が長くなったり、タイムアウトエラーで通信装置にコンテンツが提供されなくなったりする虞がある。
【０００５】
そこで、本発明は、コンテンツを格納する装置に対するアクセスの時間的な集中を抑制することを目的とする。
【課題を解決するための手段】
【０００６】
上記課題を解決するため、本発明は、第１コンテンツデータを識別する識別情報を取得する識別情報取得手段と、前記識別情報取得手段により取得された識別情報に基づいて、第２コンテンツデータを取得するための情報が含まれる前記第１コンテンツデータを取得し、取得した第１コンテンツデータを出力する第１コンテンツ出力手段と、前記第１コンテンツ出力手段が出力した第１コンテンツデータに含まれる前記情報を用いて第２コンテンツデータを取得する操作を受け付ける受付手段と、前記受付手段が受け付けた操作に応じて、通信ネットワークを経由して前記第２コンテンツデータを取得する第２コンテンツ取得手段と、前記第２コンテンツ取得手段により取得された前記第２コンテンツデータを出力する第２コンテンツ出力手段とを備える通信装置を提供する。
【０００７】
前記通信装置において、前記第１コンテンツ出力手段は、前記第１コンテンツ取得手段により前記第１コンテンツデータが取得されてから、自装置または自装置のユーザに固有の情報に応じて決められた期間が経過した場合に、前記第１コンテンツデータを出力してもよい。
【０００８】
前記通信装置において、前記第２コンテンツ取得手段は、前記第１コンテンツ出力手段により前記第１コンテンツデータが出力されてから、自装置または自装置のユーザに固有の情報に応じて決められた期間が経過した場合に、前記第２コンテンツデータを取得してもよい。
【０００９】
前記通信装置において、前記識別情報は、音声信号に重畳された音響ＩＤ（IDentification）であり、前記識別情報取得手段は、前記音声信号から前記音響ＩＤを抽出し、抽出した音響ＩＤを前記識別情報として取得してもよい。
【００１０】
前記通信装置において、前記第１コンテンツ出力手段は、前記識別情報取得手段により取得された識別情報を用いて前記通信ネットワークを経由して前記第１コンテンツデータを取得して出力してもよい。
【００１１】
前記通信装置において、前記第１コンテンツ出力手段は、前記識別情報取得手段により取得された識別情報を用いて自装置に記憶されている前記第１コンテンツデータを取得して出力してもよい。
【００１２】
本発明は、上記の通信装置と、前記通信装置から第１コンテンツデータを識別する識別情報が送信されてくると、当該識別情報により識別される第１コンテンツデータが格納されている記憶領域のアドレス情報を前記通信装置に通知するアドレス情報通知装置と、前記第１コンテンツデータを記憶領域に格納し、前記通信装置からのアクセスに応じて当該通信装置に当該第１コンテンツデータを送信する第１コンテンツデータ送信装置と、前記第２コンテンツデータを記憶領域に格納し、前記通信装置からのアクセスに応じて当該通信装置に当該第２コンテンツデータを送信する第２コンテンツデータ送信装置とを備える情報提供システムを提供する。
【００１３】
本発明は、コンピュータを、第１コンテンツデータを識別する識別情報を取得する識別情報取得手段と、前記識別情報取得手段により取得された識別情報に基づいて、第２コンテンツデータを取得するための情報が含まれる前記第１コンテンツデータを取得し、取得した第１コンテンツデータを出力する第１コンテンツ出力手段と、前記第１コンテンツ出力手段が出力した第１コンテンツデータに含まれる前記情報を用いて第２コンテンツデータを取得する操作を受け付ける受付手段と、前記受付手段が受け付けた操作に応じて、通信ネットワークを経由して前記第２コンテンツデータを取得する第２コンテンツ取得手段と、前記第２コンテンツ取得手段により取得された前記第２コンテンツデータを出力する第２コンテンツ出力手段として機能させるためのプログラムを提供する。
【発明の効果】
【００１４】
本発明によれば、コンテンツを格納する装置に対するアクセスの時間的な集中を抑制することが可能になる。
【図面の簡単な説明】
【００１５】
【図１】本発明の実施形態に係る情報提供システムの構成を示すブロック図
【図２】通信装置のハードウェア構成を示すブロック図
【図３】出力された一時ページデータの一例を示す図
【図４】出力された配信コンテンツデータの一例を示す図
【図５】各装置の処理動作を示すシーケンスチャート
【図６】変形例の一時ページデータの一例を示す図
【図７】変形例に係る情報提供システムの構成を示すブロック図
【図８】複数の第１コンテンツデータのリストの一例を示す図
【発明を実施するための形態】
【００１６】
＜構成＞
図１は、本発明の一実施形態に係る情報提供システム１の全体構成を示すブロック図である。この情報提供システム１は、通信装置１０と、放送局２０と、テレビジョン放送受像機３０と、通信ネットワーク４０と、コンテンツ配信装置５０と、一時ページ配信装置６０と、アドレス情報通知装置７０とを備えている。なお、情報提供システム１は、複数の通信装置１０を備えるが、図１では図示を省略する。
【００１７】
通信ネットワーク４０は、いわゆる３ＧやＩＭＴ−２０００（International Mobile Telecommunications-2000）或いは無線ＬＡＮ（Local Area Network）と呼ばれる通信規格に従って通信装置１０に通信サービスを提供するネットワークである。コンテンツ配信装置５０、一時ページ配信装置６０及びアドレス情報通知装置７０はそれぞれ、専用線または他のネットワークを介して通信ネットワーク４０に接続されている。
【００１８】
通信装置１０は、通信ネットワーク４０の基地局やアクセスポイントと呼ばれる無線装置と無線通信を行う複数の装置であり、それぞれがユーザによって利用される。本実施形態では、通信装置１０が通話及びデータ通信を行うことが可能な携帯端末、いわゆるスマートホンである場合を例に挙げて説明を行う。なお、通信装置１０は、スマートホンに限定されず、例えば、携帯電話機やタブレット端末、ＰＤＡ（Personal Digital Assistant）、モバイルコンピュータ、ゲーム機、セットトップボックスなど、ユーザが操作することが可能な、無線または有線で通信を行う装置であればよい。
【００１９】
図２は、通信装置１０のハードウェア構成を示すブロック図である。通信装置１０は、制御部１１と、通信部１２と、操作部１３と、表示部１４と、音声入出力部１５と、記憶部１６とを備えたコンピュータである。制御部１１は、ＣＰＵ（Central Processing Unit）などの演算装置と、ＲＯＭ（Read Only Memory）及びＲＡＭ（Random Access Memory）などの記憶装置とを備えている。記憶部１６は、例えばＥＥＰＲＯＭ（Electronically Erasable and Programmable ROM）やフラッシュメモリなどの記憶手段である。
【００２０】
通信部１２は、アンテナや通信回路を備えており、通信ネットワーク４０の基地局やアクセスポイントなどの無線装置と無線通信を行う。操作部１３は、キーやタッチセンサなどの操作子を備えた操作手段であり、利用者の操作に応じた操作信号を制御部１１に供給する。制御部１１は、この操作信号に応じた処理を行う。表示部１４は、液晶パネルや液晶駆動回路を備えた表示手段であり、制御部１１による制御の下で画像を表示する。音声入出力部１５は、スピーカ、マイクロホン及び音声処理回路（図示略）を備えており、音声の入出力を行う。
【００２１】
通信装置１０の各機能構成（後述する識別情報取得手段、第１コンテンツ出力手段、受付手段、第２コンテンツ取得手段、第２コンテンツ出力手段など）は、通信装置１０のハードウェアによって実現されてもよいし、ハードウェア及びソフトウェアが協働することにより実現されてもよい。通信装置１０の各機能構成がハードウェア及びソフトウェアの協働により実現される場合は、図２に示す制御部１１のＣＰＵが記憶部１６に記憶されたプログラムをＲＡＭに読み出して、読みだしたプログラムを実行することで、実現される。
【００２２】
図１に戻る。放送局２０は、例えば地上デジタルテレビジョン放送を行う。テレビジョン放送受像機３０は放送局２０から放送波を受信し、この放送波をデコードし、映像と音声からなる番組や広告宣伝を出力する放送波受信装置である。コンテンツ配信装置５０は、例えば、放送局２０から放送される番組または広告宣伝（以下、番組等という）に関連する各種コンテンツを配信するコンピュータである。コンテンツ配信装置５０は、それらのコンテンツを表すデータ（以下「配信コンテンツデータ」という）を記憶しており、通信装置１０からのアクセスに応じて、その通信装置１０に配信コンテンツデータを送信する。
【００２３】
番組等に関連するコンテンツとは、例えば、番組の出演者や制作に関する情報や、広告宣伝する商品またはサービスに関する情報などである。これらの情報の具体例としては、番組等の出演者が着用している衣服とか、番組等で出演者が訪れている観光地や店舗、あるいは、広告宣伝されている商品やサービスなどがある。また、スポーツ番組の放送であれば、スポーツ競技に参加している選手の情報が、番組等に関連したコンテンツに相当する。また、ＴＶショッピング番組の放送であれば、紹介された商品の注文や決済を行うＷｅｂページが、番組等に関連したコンテンツに相当する。
【００２４】
一時ページ配信装置６０は、コンテンツ配信装置５０が配信する配信コンテンツデータを通信装置１０が取得する前に、通信装置１０に一時的に表示されるコンテンツデータ（例えば、Ｗｅｂページ、以下「一時ページデータ」という）を配信するコンピュータである。一時ページ配信装置６０は、通信装置１０が一時ページデータを表示するために、一時ページデータを記憶しており、通信装置１０からのアクセスに応じて、その通信装置１０に一時ページデータを送信する。この一時ページデータは、本発明における「第１コンテンツデータ」の一例であり、前述した配信コンテンツデータは、本発明における「第２コンテンツデータ」の一例である。また、一時ページ配信装置６０は、本発明における「第１コンテンツデータ送信装置」の一例であり、コンテンツ配信装置５０は、本発明における「第２コンテンツデータ送信装置」である。本実施形態では、一時ページデータ（第１コンテンツデータ）が、配信コンテンツデータ（第２コンテンツデータ）よりもデータサイズが小さい。
【００２５】
アドレス情報通知装置７０は、一時ページ配信装置６０において一時ページデータが格納されている記憶領域のアドレス情報（通信ネットワーク４０における位置を示す情報）を通信装置１０に通知するコンピュータである。このアドレス情報は、通信装置１０が一時ページ配信装置６０内の一時ページデータを取得するための情報であり、本実施形態では、インターネット上のアドレス情報として用いられているＵＲＩ（Uniform Resource Identifier）である。アドレス情報通知装置７０は、これらのアドレス情報を記憶しており、通信装置１０にそのアドレス情報を通知する。
【００２６】
情報提供システム１においては、一時ページを見たユーザに対して配信コンテンツデータを配信する配信サービスが提供される。この配信サービスの提供者は、一時ページ配信装置６０及びアドレス情報通知装置７０を設置する者でもあり、これらの装置のために本配信サービスを目的とした専用のシステムを組む事ができるので、例えばクラウドコンピューティングを利用して各装置のキャパシティを増強することができる。一方、コンテンツ配信装置５０としては、例えばＣＭスポンサーのＷｅｂサイトを提供するサーバ装置が使われる場合がある。そのようなサーバ装置は、やり取りされるデータ量が多い上に、これらのサーバ装置を設置した者ではなければ、例えば配信サービスの提供者では、クラウド化等によるキャパシティの増強を行うことができない。そのため、コンテンツ配信装置５０は、同時アクセス数の制限が低いまま使用されることがある。そのようなコンテンツ配信装置５０にアクセスが集中すると、コンテンツ配信装置５０から通信装置１０にコンテンツが提供されるまでに要する時間が長くなったり、タイムアウトエラーで通信装置１０にコンテンツが提供されなくなったりする虞がある。情報提供システム１は、そのようなことがないようにコンテンツ配信装置５０へのアクセスを分散させるためのシステムである。その分散の方法について、以下に説明する。
【００２７】
＜概要＞
情報提供システム１の概要は次のとおりである。放送局２０は、通信装置１０が一時ページデータを取得するための音響ＩＤ（IDentification、識別情報）を放送波の音声信号に重畳して放送する。ここで、音響ＩＤとは、一時ページデータを識別する識別情報である。通信装置１０のは、放送波に基づきテレビジョン放送受像機３０によって放音される音声をマイク（収音手段）で収音し、制御部１１（識別情報取得手段）により、収音した音声信号から音響ＩＤを抽出し、抽出した音響ＩＤを識別情報として取得する。
【００２８】
次に、通信装置１０の制御部１１（第１コンテンツ出力手段）は、取得した音響ＩＤに基づいて一時ページデータ、すなわち第１コンテンツデータを取得し、取得した第１コンテンツデータを表示手段である表示部１４に出力する。より詳細には、通信装置１０の制御部１１は、音響ＩＤを取得すると、アドレス情報通知装置７０にその音響ＩＤを送信する。アドレス情報通知装置７０は、放送局２０により重畳される音響ＩＤと、一時ページデータのアドレス情報とを対応付けたアドレス情報テーブルを記憶している。アドレス情報通知装置７０は、通信装置１０から送信されてきた音響ＩＤに対応付けられているアドレス情報がアドレス情報テーブルに含まれている場合には、そのアドレス情報を通信装置１０に送信する。通信装置１０の制御部１１は、受信したアドレス情報を用いて通信ネットワーク４０経由で一時ページ配信装置６０にアクセスし、一時ページデータを取得する。
【００２９】
図３は、出力された一時ページデータの一例を示す図である。この例では、表示部１４に「洋服に興味はありますか？」という文字列と、「ある」という文字列を含む操作子画像Ｂ１とを含む一時ページデータＡ１が表示されている。操作子画像Ｂ１には、一時ページを記述するＨＴＭＬ（HyperText Markup Language）文書において、コンテンツ配信装置５０が配信する配信コンテンツデータであるＷｅｂページへのハイパーリンク（例えばＵＲＩ）が対応付けられている。このハイパーリンクは、配信コンテンツデータを取得するための情報の一例である。以下では、配信コンテンツデータを取得するための情報のことを「データ取得情報」という。つまり、図３に示す一時ページデータには、このデータ取得情報が含まれている。
【００３０】
続いて、通信装置１０の制御部１１（受付手段）は、一時ページデータが出力された後に、出力された一時ページデータに含まれるデータ取得情報を用いて配信コンテンツデータを取得する操作（以下「取得操作」という）を受け付ける。通信装置１０の制御部１１は、図３に示す一時ページデータＡ１を出力した場合には、例えば操作子画像Ｂ１を選択する操作を取得操作として受け付ける。制御部１１（受付手段）が受け付けた取得操作に応じて、制御部１１（第２コンテンツ取得手段）は、通信ネットワーク４０を経由して配信コンテンツデータをコンテンツ配信装置５０から取得する。例えば、図３の例では、通信装置１０の制御部１１は、取得操作を受け付けると、前述したＨＴＭＬ文書において操作子画像Ｂ１に対応付けられているデータ取得情報、すなわちハイパーリンクが表すリンク先であるコンテンツ配信装置５０に対してＷｅｂページの送信を要求し、その要求に応答してコンテンツ配信装置５０から送信されてくるＷｅｂページを配信コンテンツデータとして取得する。
【００３１】
そして、通信装置１０の制御部１１（第２コンテンツ出力手段）は、取得した配信コンテンツデータを例えば表示部１４に出力する。
図４は、出力された配信コンテンツデータの一例を示す図である。この例では、洋服に関連した情報を掲載するＷｅｂページＣ１が配信コンテンツデータとして表示部１４に出力されている。
【００３２】
音響ＩＤが重畳された音声信号が、放送局２０から放送されると、その音声はどのテレビジョン放送受像機３０からもほとんど同じ時刻に出力される。そのため、各ユーザの通信装置１０がテレビジョン放送受像機３０の音声から音響ＩＤを取得する時刻はほとんど同じであり、各通信装置１０が取得してからすぐに配信コンテンツデータを取得しようとすれば、コンテンツ配信装置５０へのアクセスが音響ＩＤを取得した通信装置１０の数だけほぼ同じ時刻に集中することになる。
【００３３】
これに対し、本実施形態では、ユーザが取得操作を行うまでは、通信装置１０からコンテンツ配信装置５０へのアクセスは行われない。そして、この取得操作が行われる時刻は、出力された一時ページデータにユーザが気付くまでの時間、そしてこの一時ページを見たユーザが取得操作を行うことを決めるまでの時間及びその取得操作を行うのに要する時間等によって決まるため、ユーザ毎に異なる時刻になり、分散することとなる。従って、一時ページデータが出力された後にユーザの任意で行われる上記取得操作のタイミングで、通信装置１０からコンテンツ配信装置５０へのアクセスが行われるから、コンテンツ配信装置５０へアクセスの時間的な集中を抑制することができる。
【００３４】
また、ユーザが取得操作を行わなければコンテンツ配信装置５０へのアクセスが行われないということは、配信コンテンツデータを望むユーザは取得操作を行い、それを望まないユーザは取得操作を行わないはずである。これにより、配信コンテンツデータに興味がないユーザの通信装置１０からコンテンツ配信装置５０へのアクセスの数を減らすことができる。
【００３５】
＜動作＞
図５は、通信装置１０、コンテンツ配信装置５０、一時ページ配信装置６０及びアドレス情報通知装置７０の各装置の処理動作の関係を示すシーケンスチャートである。まず、放送局２０が音響ＩＤを重畳した音声の放送波を放送し、その放送波を受信したテレビジョン放送受像機３０から出力された音声を通信装置１０の音声入出力部１５のマイクが収音する（ステップＳ１０１）。次に、通信装置１０の制御部１１は、収音した音声から音響ＩＤの抽出を実行する（ステップＳ１０２）。ここで、音響ＩＤは、テレビジョン放送受像機３０のスピーカから放音される音声の周波数帯域のうち、高音域に属する周波数帯域に重畳される。
【００３６】
一般に、テレビ放送に使用される音声信号の主要な周波数は１６ｋＨｚ程度までであるから、音響ＩＤは、この周波数以上の音声信号が主要ではない周波数帯域であり且つテレビジョン放送受像機３０のオーディオ回路やスピーカが動作する周波数帯域（例えば、１８〜２０ｋＨｚの周波数帯域）に重畳される。音声信号に音響ＩＤのような情報を重畳する方式は種々の方式を採用可能であるが、例えば、本出願人による特許出願（国際公開第２０１０／０１６５８９号パンフレット）に詳細に説明されているような、音響ＩＤを拡散符号で拡散して、上記の周波数帯域（１８〜２０ｋＨｚの周波数帯域）まで周波数シフトして音声信号に重畳する技術など、どのようなものを用いてもよい。
【００３７】
通信装置１０の制御部１１は、音声から音響ＩＤを抽出すると（ステップＳ１０２；ＹＥＳ）、抽出した音響ＩＤを通信部１２からアドレス情報通知装置７０に送信する（ステップＳ１０３）。アドレス情報通知装置７０は、通信装置１０から一時ページデータを識別する識別情報である音響ＩＤが送信されてくると、アドレス情報テーブルにおいてその音響ＩＤに対応するアドレス情報を読み出し（ステップＳ１０４）、読み出したアドレス情報、すなわち音響ＩＤにより識別される一時ページデータが格納されている記憶領域のアドレス情報を通信装置１０に通知する（ステップＳ１０５）。
【００３８】
通信装置１０の制御部１１は、アドレス情報を通知されると、通知されたアドレス情報が表すＵＲＩにアクセスし（ステップＳ１０６）する。一時ページデータを記憶領域に格納する一時ページ配信装置６０が、通信装置１０からのアクセスに応じてその通信装置１０に一時ページデータを送信することで、通信装置１０の制御部１１は、一時ページデータを取得する（ステップＳ１０７）。そして、制御部１１は、取得した一時ページデータを出力する（ステップＳ１０８）。
【００３９】
通信装置１０の制御部１１は、一時ページデータを出力した後に、この一時ページデータに含まれるデータ取得情報を用いて配信コンテンツデータを取得する操作（図３の例であれば操作子画像Ｂ１を選択する操作）を取得操作として受け付ける（ステップＳ１０９）。制御部１１は、取得操作を受け付けると、例えば図３の例で説明したように、一時ページデータにおいてリンク先として指定されているコンテンツ配信装置５０にアクセスし（ステップＳ１１０）、配信コンテンツデータを取得する（ステップＳ１１１）。そして、制御部１１は、取得した配信コンテンツデータを例えば表示部１４に出力する（ステップＳ１１２）。
【００４０】
（変形例）
上記実施形態を次のように変形してもよい。
【００４１】
（変形例１）
一時ページデータは、図３の例で説明したものに限らない。
図６は、本変形例の一時ページデータの一例を示す図である。この例では、表示部１４に「洋服に興味はある？」という文字列を含む操作子画像Ｂ２と、「帽子に興味はある？」という文字列を含む操作子画像Ｂ３と、「化粧品に興味はある？」という文字列を含む操作子画像Ｂ４とからなる、複数の操作子画像を含む一時ページデータＡ２が表示される。これらの複数の操作子画像には、それぞれ異なる配信コンテンツデータへのリンクが対応付けられている。通信装置１０の制御部１１は、これら複数の操作子画像Ｂ２、Ｂ３、Ｂ４のいずれかをユーザが選択する操作である取得操作を受け付け、ユーザにより選択された操作子画像に応じた配信コンテンツデータを取得する。
【００４２】
具体的には、操作子画像Ｂ２が選択された場合には図４に示すＷｅｂページを取得し、操作子画像Ｂ３、Ｂ４が選択された場合には、それぞれ帽子を扱ったＷｅｂページ、化粧品を扱ったＷｅｂページを取得する。このように、通信装置１０は、取得される配信コンテンツデータが異なる複数の取得操作を促す一時ページデータを出力し、それらの取得操作のうちのいずれかを受け付けた場合に、受け付けた取得操作に応じた配信コンテンツデータを取得してもよい。このように取得可能な配信コンテンツデータを複数設けることで、配信コンテンツデータの中にユーザが興味を持つものが含まれるようにすると共に、どの配信コンテンツデータを選択するかということをユーザが考える時間や操作する時間を与えて、アクセス集中を分散させることが可能となる。また、それに加え、より多くのユーザに配信コンテンツデータを提供し、その結果より多くの配信コンテンツデータを提供することができる。
【００４３】
（変形例２）
取得操作は、通信装置１０の操作部１３に対する操作に限らない。例えば、ユーザが音声で応答するという操作により、制御部１１（受付手段）が、音声入出力部１５から入力された音声を認識し、操作用に定められた言葉（例えば「はい（日本語）」や「ＹＥＳ（英語）」）が認識された場合に取得操作を受け付けてもよい。また、通信装置が加速度センサ等の運動センサを備えていれば、ユーザが通信装置を振るという操作により、制御部１１（受付手段）が、運動センサ（加速度センサ等）により検出される運動（加速度等）が閾値を超えたときに取得操作を受け付けてもよい。要するに、配信コンテンツデータを取得するというユーザの意志を確認することができる操作であれば、どのような操作が取得操作として行われてもよい。
【００４４】
（変形例３）
第１コンテンツデータには、動画が含まれていてもよい。その場合、通信装置１０は、例えば動画コンテンツとともに操作子画像が表示される第１コンテンツデータや、動画コンテンツの再生が終わったあとに操作子画像が表示される第１コンテンツデータを出力する。更に、一時ページ配信装置６０から再生時間の異なる動画をランダムなタイミングで提供すれば、コンテンツ配信装置５０へのアクセスの集中を更に抑制することができる。また、第１コンテンツデータは、例えば、音声で表されたデータであってもよい。この場合、通信装置１０は、例えば「放送中の広告のＷｅｂページにアクセスしますか？アクセスする場合はボタンＡを押してください。」という音声を第１コンテンツデータとして出力し、ユーザが操作部１３のボタンＡを押して応答する、またはユーザが音声で応答すると、取得操作を受け付けて配信コンテンツデータを取得する。
【００４５】
また、通信装置１０がバイブレーション機能を有していれば、第１コンテンツデータに振動のパターンを含ませておいて、一時ページデータの出力とともに通信装置１０を振動させることで、一時ページデータが出力されたことにユーザが気付きやすくなるようにしてもよい。また、第１コンテンツデータは、パズルゲームやシューティングゲームなど、ユーザにゲームを提供するデータであってもよい。この場合、例えばゲームをクリアする操作が取得操作となる。また、第１コンテンツデータは、画像、音声、振動及びゲーム等の組み合わせを示すデータであってもよい。要するに、音響ＩＤが取得されたことをユーザに気付かせて、取得操作を促すことができるデータであれば、どのようなデータが第１コンテンツデータとして用いられてもよい。
【００４６】
（変形例４）
音響ＩＤを抽出してから第１コンテンツデータ（一時ページデータ）を出力するまでの時間が通信装置１０毎に異なっていてもよい。例えば、通信装置１０の制御部１１（第１コンテンツ出力手段）が、第１コンテンツ手段により第１コンテンツデータが取得されてから、自装置または自装置のユーザに固有の情報（以下「固有情報」という）に応じて決められた期間が経過した場合に、取得した第１コンテンツデータを出力する、という具合である。この期間は、第１コンテンツデータの出力を待機する期間であり、以下では「第１待機期間」という。
【００４７】
ここで、上記の固有情報としては、例えば、自装置の製造番号が考えられる。また、自装置が移動体通信を行う機能を有している場合、ＩＭＳＩ（International Mobile Subscriber Identity）が固有情報として用いられてもよい。また、移動体通信の契約情報やＳＮＳのアカウント情報などからユーザの識別情報や誕生日などの属性情報を取得できる場合であれば、通信装置１０がそれらの情報を予め取得して記憶しておき、固有情報として用いてもよい。また、通信装置１０が自装置の位置を測定する測定部を備えている場合であれば、測定部により測定された位置を固有情報として用いてもよい。さらに、通信装置１０がランダム関数を用いて生成した乱数を固有情報として用いてもよい。要するに、自装置または自装置のユーザに固有となっていれば、どのような情報が固有情報として用いられてもよい。
【００４８】
通信装置１０の記憶部１６には、固有情報と第１待機期間とを対応付けた第１待機期間テーブルが記憶されている。例えばユーザの誕生日という属性情報が固有情報として記憶部１６に記憶されている場合であれば、第１待機期間テーブルでは、１月１日から１２月３１日までの３６６通りの属性情報に３６６通りの期間（例えば０．１秒から０．１秒間隔で３６．６秒までの３６６通りの期間）が対応付けて格納されている。制御部１１は、第１コンテンツデータを取得すると、記憶部１６に記憶されている固有情報に第１待機期間テーブルにおいて対応付けられている第１待機期間を読み出し、読み出した第１待機期間が経過したときに第１コンテンツデータを出力する。
本変形例では、固有情報に応じた複数の時刻において第１コンテンツデータが出力されることになる。これにより、取得操作の時間的な集中を抑制することができ、その結果、アクセスの時間的な集中を抑制することができる。
【００４９】
なお、制御部１１は、第１コンテンツデータを２段階で出力してもよい。例えば、第１コンテンツデータが動画データと操作子画像とからなるデータである場合に、制御部１１は、まず動画データを出力し、固有情報に応じた第１待機期間が経過したときに操作子画像を出力する、といった具合である。この場合、取得操作の時間的な集中を抑制することができる一方、動画データは、第１待機期間の経過を待たずに出力されるので、第１待機期間が経過してから出力される場合よりも早く第１コンテンツデータ（この例では動画データ）をユーザに提供することができる。
【００５０】
また、ユーザの誕生日のように固有情報が変化しない場合、固有情報と第１待機期間との対応付けが１通りだと、第１待機期間が毎回同じになってしまう。そこで、例えば、第１待機期間テーブルにおいて、固有情報と第１待機期間とを時間帯（例えば１日を１時間毎に分割した２４個の時間帯）毎に異なる組み合わせで対応付けておき、制御部１１が、第１コンテンツデータを取得した時間帯を特定し、その時間帯に応じた組み合わせを参照して第１待機期間を読み出すようにしてもよい。これにより、同じ固有情報でも、第１待機期間を変化させることができる。
【００５１】
（変形例５）
第１コンテンツデータを取得してから第２コンテンツデータを取得するまでの時間が通信装置１０毎に異なっていてもよい。例えば、通信装置１０の制御部１１（第２コンテンツ取得手段）が、第１コンテンツデータが出力されてから、上述した固有情報に応じて決められた期間が経過した場合に、第２コンテンツデータ（配信コンテンツデータ）を取得する、という具合である。この期間は、第１コンテンツデータが出力された後に第２コンテンツデータの取得を待機する期間であり、以下では「第２待機期間」という。
【００５２】
通信装置１０の記憶部１６には、固有情報と第２待機期間とを対応付けた第２待機期間テーブルが記憶されている。固有情報がユーザの誕生日という属性情報であれば、例えば１０秒から０．１秒間隔で４６．６秒までの３６６通りの第２待機期間が、固有情報であるユーザの誕生日に対応付けて格納されている。制御部１１は、第１コンテンツデータを出力すると、記憶部１６に記憶されている固有情報に第２待機期間テーブルにおいて対応付けられている第２待機期間を読み出す。
【００５３】
そして、制御部１１は、取得操作を受け付けても、読み出した第２待機期間が経過するまでは第２コンテンツデータの取得を行わず、その第２待機期間が経過したときに第２コンテンツデータの取得を行う。例えば、第２コンテンツデータが数量を限定したクーポンやチケットの情報などを含むものであると、取得操作が行われる時刻も集中することが考えられる。本変形例によれば、そのように取得操作の行われた時刻が集中したとしても、アクセスの時間的な集中を抑制することができる。
【００５４】
（変形例６）
複数の通信装置１０の各制御部１１（受付手段）は、装置毎に難易度の異なる取得操作を受け付けてもよい。難易度が異なる取得操作とは、例えば、複雑さの異なるパズルゲームをクリアする操作や、敵の数や敵が動くスピード、敵から受けるダメージの大きさなどが異なるシューティングゲームや格闘ゲームをクリアする操作などである。制御部１１は、ユーザが選択した難易度を用いて取得操作を受け付けてもよいし、ユーザの固有情報に応じて難易度を選択し、選択した難易度を用いて取得操作を受け付けてもよい。上記の各ゲームをクリアする操作が取得操作である場合、ゲームの難易度が異なると、ゲームをクリアするまでに要する時間も異なる長さになりやすい。そのため、例えば第１コンテンツデータの出力された時刻が同じであっても、取得操作が受け付けられる時刻は通信装置１０毎に異なる時刻になりやすく、コンテンツ配信装置５０へのアクセスの時間的な集中を抑制することができる。
【００５５】
また、各制御部１１（受付手段）は、装置毎に内容の異なる取得操作を受け付けてもよい。例えば、或る制御部１１は、図３に示す操作子画像Ｂ１が１回選択された場合に取得操作を受け付け、他の制御部１１は、操作子画像Ｂ１が２回選択された場合に取得操作を受け付ける、という具合である。この場合、制御部１１は、取得操作の内容を表す文字列を表示部１４に表示させることが望ましい。このように取得操作の内容を異ならせることで、取得操作を行うための手間の大きさを通信装置１０毎に異ならせることができる。それにより、難易度を異ならせた場合と同様に、取得操作が受け付けられる時刻が通信装置１０毎に異なる時刻になりやすく、コンテンツ配信装置５０へのアクセスの時間的な集中を抑制することができる。
【００５６】
（変形例７）
音響ＩＤは、放送波に重畳されたものに限らない。音響ＩＤは、例えば、ＱＲ（Quick Response:登録商標）コードにより表されていてもよい。この場合、通信装置１０は、画像を撮影する撮影部を備え、撮影部が撮影したＱＲコードを読み取って音響ＩＤを取得する。また、エンコードした音響ＩＤを放送波に重畳させるのではなく、例えば特定の旋律や特定の台詞を音響ＩＤとして用いてもよい。この場合、通信装置１０は、放送の音声と特定の旋律や特定の台詞の音声情報とをパターンマッチングして、一致すると判定した場合に音響ＩＤを取得したものとして、一時ページデータの出力等の処理を行う。
【００５７】
これと同様に、特定の画像を音響ＩＤとして用いてもよい。例えば、通信装置１０が、放送された映像を表示する機能を有しており、表示された映像に特定の商品が写っていると認識した場合に、一時ページデータの出力を経てその商品を取り扱った配信コンテンツデータを取得する、という具合である。いずれの場合も、通信装置１０は、音響ＩＤを取得すると、取得した音響ＩＤに応じた一時ページデータ、すなわち第１コンテンツデータを出力する。つまり、上述した音響ＩＤは、いずれも、第１コンテンツデータを識別する識別情報として機能する。
【００５８】
（変形例８）
通信装置１０は、一時ページデータの一部または全部を予め記憶しておいてもよい。
図７は、本変形例に係る情報提供システムの構成を示すブロック図である。図７では、図１に示す一時ページ配信装置６０以外の装置等を備える情報提供システム１ａが示されている。通信装置１０の記憶部１６には、一時ページデータのうちのＷｅｂページの画像を構成する部分（これを「ページ構成データ」という）が記憶され、配信コンテンツデータへのハイパーリンクを示すリンク情報が記憶されていない。情報提供システム１ａにおいては、アドレス情報通知装置７０が、図５に示すステップＳ１０５において、一時ページ配信装置６０のアドレス情報ではなく、例えばコンテンツ配信装置５０のＵＲＩを上述のリンク情報として通信装置１０に通知する。
【００５９】
通信装置１０の制御部１１は、アドレス情報通知装置７０からリンク情報（ＵＲＩ）が通知されると、記憶部１６に予め記憶されているページ構成データに含まれるＨＴＭＬ文書に、通知されたＵＲＩをハイパーリンクとして記述し、記述後の一時ページデータを出力する（ステップＳ１０８）。そして、制御部１１は、取得操作を受け付けると（ステップＳ１０９）、一時ページデータに含まれているハイパーリンクに基づいてコンテンツ配信装置５０にアクセスし（ステップＳ１１０）、配信コンテンツデータを取得する（ステップＳ１１１）。
【００６０】
上述のリンク情報が示すＵＲＩからＷｅｂページを取得するためには、そのＵＲＩにアクセスするための操作が行えなければならない。この操作は、リンク情報だけでは行うことができず、Ｗｅｂページの一部の画像のハイパーリンクとしてリンク情報が対応付けられることで可能となる。つまり、リンク情報はもちろん、Ｗｅｂページの画像を構成するページ構成データも、配信コンテンツデータを取得するための情報、すなわちデータ取得情報である。本変形例では、リンク情報及びページ構成データの両方が、第１コンテンツデータの一例である。従って、図７の例では、通信装置の制御部１１（第１コンテンツデータ出力手段）は、取得した識別情報を用いて、通信ネットワーク４０を経由して取得した第１コンテンツデータと、自装置に記憶されている第１コンテンツデータとの両方を出力する。
【００６１】
なお、通信装置１０がリンク情報を記憶しておき、一時ページ配信装置６０がページ構成データを送信してもよい。この場合、情報提供システムがアドレス情報通知装置７０を備えていなくてもよい。通信装置１０は、一時ページ配信装置６０から送信されてきたページ構成データのＨＴＭＬ文書に、自装置が記憶しているリンク情報をハイパーリンクとして記述することで、上記と同様に一時ページデータを出力する。この場合も、リンク情報及びページ構成データの両方が、第１コンテンツデータの一例である。また、通信装置１０は、リンク情報及びページ構成データの両方を含む第１コンテンツデータを記憶していてもよい。この場合、情報提供システムが一時ページ配信装置６０及びアドレス情報通知装置７０の両方を備えていなくてもよい。
【００６２】
本変形例では、いずれの場合も、通信装置１０の制御部１１（第１コンテンツデータ出力手段）が、取得した音響ＩＤを用いて自装置に記憶されている第１コンテンツデータを取得して出力する。これにより、通信装置１０に記憶されている第１コンテンツデータが通信ネットワーク４０を経由して取得される場合に比べて、音響ＩＤが抽出されてから第１コンテンツデータが出力されるまでに要する時間が短くなる。特に、動画データを含む場合のように第１コンテンツデータのデータサイズが大きいほど、第１コンテンツデータを取得するために要する時間も長くなりやすいので、出力されるまでに要する時間の短縮効果は大きい。
【００６３】
（変形例９）
アドレス情報は、アドレス情報通知装置７０から通信装置１０に通知されるのではなく、放送局２０が放送波に重畳させることで通信装置１０に通知されてもよい。この場合、放送局２０は、例えば音響ＩＤに代えてアドレス情報を重畳させた放送波を放送し、通信装置１０は、放送された放送波に基づく音声からアドレス情報を取得する。本変形例におけるアドレス情報は、実施形態と同様に、一時ページデータが格納されている記憶領域のアドレスを表す情報である。この場合、例えばアドレス情報が決まればそのアドレス情報が示す記憶領域に格納されている一時ページデータも１つに決まるようにしておけば、一時ページデータを識別する識別情報としてアドレス情報を用いることができる。
【００６４】
通信装置１０は、アドレス情報を識別情報として取得すると、取得したアドレス情報が示す記憶領域に格納されている一時ページデータを取得して出力し、以降、取得操作の受け付け及び配信コンテンツデータの取得等を行う。本変形例では、アドレス情報の通知も通信ネットワーク４０を経由せずに行われるので、その通知が通信ネットワーク４０経由で行われる場合に比べて、識別情報が取得されてから一時ページデータ（第１コンテンツデータ）が出力されるまでに要する時間が短くなるし、通信ネットワーク４０上のトラヒックの増大を抑制することができる。
【００６５】
（変形例１０）
通信装置１０が過去に取得した音響ＩＤに基づいて取得した一時ページデータ（第１コンテンツデータ）を全て蓄積しておき、ユーザがそれらの一時ページデータ群から望むものを選べるようにしてもよい。例えば、一つの番組を見終わったときに、一時ページデータの一覧がユーザに提示されるというイメージである。例えば、通信装置１０の制御部１１が、過去に取得した複数の音響ＩＤによりそれぞれ識別される複数の一時ページデータのリストを出力する。
図８は、複数の一時ページデータのリストの一例を示す図である。この例では、制御部１１は、リストＤ１を表示部１４に出力している。リストＤ１には、「洋服に興味が・・」や「新商品の情報・・」など、一時ページに用いられている文字列の一部と、それらの一時ページデータを識別する音響ＩＤが抽出されてから経過した時間（経過時間）とが含まれている。
【００６６】
リストＤ１に含まれるこれらの情報から、ユーザは一時ページデータの内容と音響ＩＤが取得された時刻とを把握し、興味のある一時ページデータを選択することができる。ユーザがリストＤ１からいずれかの列を選択する操作を行うと、その列に表されている一時ページデータが出力され、取得操作の受け付けが行われて配信コンテンツデータが取得される。本変形例では、一時ページデータのような第１コンテンツデータが出力されたときにその出力にユーザが気付かなくても、後からその第１コンテンツデータについての取得操作を行い、第２コンテンツデータを取得することができる。
【００６７】
なお、通信装置１０の制御部１１は、同じ音響ＩＤに基づく第１コンテンツデータは１つにまとめたり、音響ＩＤに広告のスポンサーを示す部分が含まれている場合に同一スポンサーの第１コンテンツデータを１つにまとめたりしてもよい。また、通信装置１０の制御部１１は、過去に取得操作が行われた回数からユーザが興味を持っている商品のスポンサーを重み付けし、その重みに基づいて第１コンテンツデータをソートしたり、一定の重み以上の第１コンテンツデータのみを含むリストを出力してもよい。このように、通信装置１０の制御部１１は、取得操作が行われた第１コンテンツデータの履歴に基づいて、ユーザが興味のある第２コンテンツデータを分析し、分析結果に基づいて第１コンテンツデータのリストを出力する。これにより、ユーザが興味のある第２コンテンツデータほどそのユーザに提供されやすくなる。
【００６８】
（変形例１１）
実施形態では、テレビジョン放送受像機３０の音声にＩＤを重畳させる例について説明したが、放音装置はテレビに限定されない。例えば、ラジオ受信機であってもよいし、テレビチューナーを有するパーソナルコンピュータであってもよい。また、店舗等の施設に設置されたスピーカ装置であってもよい。更に、店舗等の商業施設に限らず、公共施設、民間施設、集合住宅、事務所施設等の各種施設に適用してもよい。また、通信装置は無線に限らず有線で通信を行う装置であってもよい。更に、放送は、テレビやラジオに限らず、インターネット放送であってもよいし、衛星放送であってもよい。
【００６９】
（変形例１２）
本発明は、コンピュータとして機能させるためのプログラムといった形態でも実施が可能である。かかるプログラムは、光ディスク等のコンピュータに読み取り可能な記録媒体に記録した形態で提供されたり、インターネット等のネットワークを介して、コンピュータにダウンロードさせ、これをインストールして利用可能にするなどの形態で提供されたりすることが可能である。
【符号の説明】
【００７０】
１０  通信装置、２０  放送局、３０  テレビジョン放送受像機、４０  通信ネットワーク、５０  コンテンツ配信装置、６０  一時ページ配信装置、７０  アドレス情報通知装置、１１  制御部、１２  通信部、１３  操作部、１４  表示部、１５  音声入出力部、１６  記憶部
【図１】
2015088055.tif 000003
【図２】
2015088055.tif 000004
【図３】
2015088055.tif 000005
【図４】
2015088055.tif 000006
【図５】
2015088055.tif 000007
【図６】
2015088055.tif 000008
【図７】
2015088055.tif 000009
【図８】
2015088055.tif 000010